(57)【要約】【課題】本発明は、検出感度の低下を抑制すると共に、引出配線を覆って配置された導体層が操作者から視認されることを防止可能な入力装置を提供することを目的とする。【解決手段】本発明の入力装置１は、基材２１と、基材２１に設けられた複数の電極２２及び引出配線２３と、基材２１の入力面側に配置された導体層３２とを有し、引出配線２３は、複数の電極２２同士の間を引き回されて複数の電極２２のそれぞれに接続されており、導体層３２は透光性を有し、引出配線２３を覆って配置されるとともに、電極２２と重なる開口部３３を有しており、開口部３３には、透光性を有する複数のダミー導体層３４が電極２２と重なって設けられており、複数のダミー導体層３４は、導体層３２に対して離間して配置されて、かつ、複数のダミー導体層３４同士が互いに離間して配置されていることを特徴とする。【選択図】図４
2014235570.tif 000002
【特許請求の範囲】
【請求項１】
基材と、前記基材に設けられた複数の電極及び引出配線と、前記基材の入力面側に配置された導体層とを有し、
前記引出配線は、前記複数の電極同士の間を引き回されて前記複数の電極のそれぞれに接続されており、
前記導体層は透光性を有し、前記引出配線を覆って配置されるとともに、前記電極と重なる開口部を有しており、
前記開口部には、透光性を有する複数のダミー導体層が前記電極と重なって設けられており、複数の前記ダミー導体層は、前記導体層に対して離間して配置されて、かつ、複数の前記ダミー導体層同士が互いに離間して配置されていることを特徴とする入力装置。
【請求項２】
複数の前記ダミー導体層は、前記導体層と同じ材料を有することを特徴とする請求項１に記載の入力装置。
【請求項３】
前記開口部において、前記複数のダミー導体層の合計面積よりも、前記複数のダミー導体層が形成されていない開口部の面積が大きいことを特徴とする請求項１または請求項２に記載の入力装置。
【請求項４】
前記開口部の中央部に位置する前記ダミー導体層の面積よりも、前記開口部の周縁部において前記導体層に隣り合って位置する前記ダミー導体層の面積が小さいことを特徴とする請求項１から請求項３のいずれか１項に記載の入力装置。
【請求項５】
前記開口部の周縁部において隣り合う前記ダミー導体層と前記導体層との距離が、複数の前記ダミー導体層同士の距離よりも大きいことを特徴とする請求項１から請求項４のいずれか１項に記載の入力装置。
【発明の詳細な説明】
【技術分野】
【０００１】
本発明は、入力装置に関し、特に、引出配線に対して入力面側に導体層が設けられた入力装置に関する。
【背景技術】
【０００２】
携帯電話機やスマートフォン等のモバイル機器の表示部において、透光型の入力装置が用いられている。入力装置の構成や検出方式として、種々のものが知られており、例えば、下記特許文献１には静電容量式の入力装置が開示されている。
【０００３】
特許文献１に記載の入力装置は、基材の表面に複数の電極が互いに隣り合って配置されており、隣り合う電極間に静電容量が形成される。操作者が入力操作の際に、指などの被検出体を入力装置の入力面に近づけると、電極間の静電容量が変化して、これにより入力位置情報を検出できる。基材表面の入力領域おいて、電極に接続された引出配線が多数引き回されており、引出配線を介して入力位置情報が外部の制御回路などに伝達される。このような入力装置において、入力面側から電磁ノイズが侵入して引出配線に重畳すると、電磁ノイズにより発生した信号を入力位置情報の信号と誤認識して、入力装置の誤検出が発生する場合がある。
【０００４】
特許文献２には、入力面側から侵入する電磁ノイズを遮蔽可能な入力装置について記載されている。図１０（ａ）は、特許文献２に記載される従来例の入力装置１１０について透過平面図を示し、図１０（ｂ）は、図１０（ａ）のＸ−Ｘ線で切断して矢印方向から見たときの断面図を示す。なお、図１０（ａ）では、見やすくするために導体層１３２に斜線を付して示している。
【０００５】
図１０（ｂ）に示すように、第１の基材１２１には複数の電極１２２が配置されており、図１０（ａ）及び図１０（ｂ）に示すように、複数の電極１２２から引き出された引出配線１２３が、複数の電極１２２の間を引き回されている。そして、引出配線１２３に対して入力面１１１ａ側に導体層１３２が設けられており、導体層１３２は、平面視で引出配線１２３と重なる位置に配置されている。
【０００６】
導体層１３２を設けることにより、入力装置１１０の入力面１１１ａ側から電磁ノイズが侵入した場合であっても、外部からの電磁ノイズが導体層１３２によって遮蔽されて、入力装置１１０の誤検出の発生を防止することができる。
【先行技術文献】
【特許文献】
【０００７】
【特許文献１】特開２０１０−１５７２３９号公報
【特許文献２】特願２０１２−２５８２１６号
【発明の概要】
【発明が解決しようとする課題】
【０００８】
従来例の入力装置１１０において、図１０（ａ）に示すように、電極１２２と重なる位置において、導体層１３２には開口部１３３が設けられている。これにより、入力操作を検出する際に、導体層１３２に遮蔽されることなく指などの被検出体と電極１２２との間で静電容量が形成される。
【０００９】
しかしながら、導体層１３２として、例えばＩＴＯ等の透明導電材料が用いられている。ＩＴＯ等の透明導電材料の透光率は、材料、製法、厚さ等で変化するが、一般的に７５％〜９５％程度である。よって、導体層１３２を完全に透明にすることは困難であり、図１０各図に示すように、導体層１３２が設けられた箇所と、導体層１３２が設けられていない箇所（開口部１３３）との間で透光率の差が生じるため、導体層１３２が操作者から視認されてしまうという課題がある。
【００１０】
図１１（ａ）は、比較例の入力装置２１０の透過平面図を示し、図１１（ｂ）は、図１１（ａ）のＸＩ−ＸＩ線で切断して矢印方向から見たときの断面図を示す。比較例の入力装置２１０は、導体層２３２の開口部２３３において、ダミー導体層２３４が設けられている。ダミー導体層２３４は、導体層２３２と同じ材料を用いて形成されており、導体層２３２とダミー導体層２３４との間には、スリットが形成されて互いに離間されている。こうすることで、入力領域全体の透光率が均一になり、導体層２３２が視認されることを防止できる。
【００１１】
しかし、比較例の入力装置２１０では、ダミー導体層２３４の面積が、電極２２２と同程度の大きい面積を有しているため、ダミー導体層２３４の周囲を囲む導体層２３２と、ダミー導体層２３４とが、静電容量結合する。したがって、ダミー導体層２３４の全体が、導体層２３２と同様にシールド機能を有することとなり、入力操作の検出感度が低下するという課題が生じる。
【００１２】
本発明は、上記課題を解決して、検出感度の低下を抑制すると共に、引出配線を覆って配置された導体層が操作者から視認されることを防止可能な入力装置を提供することを目的とする。
【課題を解決するための手段】
【００１３】
本発明の入力装置は、基材と、前記基材に設けられた複数の電極及び引出配線と、前記基材の入力面側に配置された導体層とを有し、前記引出配線は、前記複数の電極同士の間を引き回されて前記複数の電極のそれぞれに接続されており、前記導体層は透光性を有し、前記引出配線を覆って配置されるとともに、前記電極と重なる開口部を有しており、前記開口部には、透光性を有する複数のダミー導体層が前記電極と重なって設けられており、複数の前記ダミー導体層は、前記導体層に対して離間して配置されて、かつ、複数の前記ダミー導体層同士が互いに離間して配置されていることを特徴とする。
【００１４】
これによれば、開口部に複数のダミー導体層が設けられているため、ダミー導体層を含む開口部全体の透光率と、導体層が設けられた領域の透光率との差を小さくすることができる。よって、導体層が視認されることを防止することができる。また、複数のダミー導体層が互いに離間して配置されているため、比較例に示すような大きな面積を有する一つのダミー導体層を設ける場合に比べて、導体層とダミー導体層との静電容量結合及びダミー導体層同士の静電容量結合が抑制される。よって、ダミー導体層がシールドとして機能することを防ぎ、入力装置の検出感度の低下を抑制することができる。
【００１５】
したがって、本発明の入力装置によれば、検出感度の低下を抑制すると共に、引出配線を覆って配置された導体層が操作者から視認されることを防止できる。
【００１６】
本発明の入力装置において、複数の前記ダミー導体層は、前記導体層と同じ材料を有することが好ましい。これによれば、導体層の透光率とダミー導体層の透光率とが同等であるため、導体層が操作者に視認されることを防ぐことができる。
【００１７】
本発明の入力装置は、前記開口部において、前記複数のダミー導体層の合計面積よりも、前記複数のダミー導体層が形成されていない開口部の面積が大きいことが好ましい。これによれば、ダミー導体層の面積が小さいため、導体層とダミー導体層との静電容量結合を低減させることができる。よって、ダミー導体層がシールドとして機能することを防いで、入力装置の検出感度の低下を抑制することができる。
【００１８】
本発明の入力装置において、前記開口部の中央部に位置する前記ダミー導体層の面積よりも、前記開口部の周縁部において前記導体層に隣り合って位置する前記ダミー導体層の面積が小さいことが好適である。これによれば、複数のダミー導体層の面積を異ならせて、導体層に隣り合うダミー導体層の面積を小さくすることにより、導体層とダミー導体層との静電容量結合を効果的に低減させることができる。また、前記開口部の中央部に位置するダミー導体層の面積を大きくすることにより、ダミー導体層を含む開口部全体の透光率と導体層の透光率との差を小さくすることができる。これにより導体層が操作者によって視認されることを防止して、視認性を向上させることができる。
【００１９】
本発明の入力装置において、前記開口部の周縁部において隣り合う前記ダミー導体層と前記導体層との距離が、複数の前記ダミー導体層同士の距離よりも大きいことが好ましい。これによれば、ダミー導体層と導体層との距離を大きくして、導体層とダミー導体層との静電容量結合を低減させることができる。よって、ダミー導体層がシールドとして機能することを効果的に防いで、入力装置の検出感度の低下を抑制することができる。
【発明の効果】
【００２０】
本発明の入力装置によれば、検出感度の低下を抑制すると共に、引出配線を覆って配置された導体層が操作者から視認されることを防止することができる。
【図面の簡単な説明】
【００２１】
【図１】本発明の実施形態における入力装置の分解斜視図である。
【図２】本実施形態の入力装置を構成する第１の基材の平面図である。
【図３】本実施形態の入力装置を構成する第２の基材の平面図である。
【図４】本実施形態の入力装置の導体層及びダミー導体層を示す、部分拡大平面図である。
【図５】図４のＶ−Ｖ線で切断して矢印方向から見たときの入力装置の部分拡大断面図である。
【図６】本実施形態の第１の変形例の入力装置を示す部分拡大平面図である。
【図７】本実施形態の第２の変形例の入力装置を示す部分拡大平面図である。
【図８】本実施形態の第３の変形例の入力装置を示す部分拡大平面図である。
【図９】本実施形態の第４の変形例の入力装置を示す部分拡大平面図である。
【図１０】従来例の入力装置の部分拡大平面図を示す。
【図１１】比較例の入力装置の部分拡大平面図を示す。
【発明を実施するための形態】
【００２２】
以下、本発明の実施形態の入力装置について、図面を参照して詳細に説明する。なお、各図面の寸法は適宜変更して示す。
【００２３】
図１は、本発明の実施形態における入力装置の分解斜視図である。図２は、本実施形態の入力装置を構成する第１の基材の平面図である。また、図３は、本実施形態の入力装置を構成する第２の基材の平面図である。
【００２４】
図１に示すように、本実施形態の入力装置１は、第１の基材２１と、第１の基材２１の上方に配置された第２の基材３１と、第１の基材２１の下方に配置された第３の基材４１と、を有して構成される。さらに、第２の基材３１の上部には、表面パネル１１が設けられている。
【００２５】
表面パネル１１は、透光性のガラス材料又は樹脂材料を用いて平板状に形成されている。図１に示すように、表面パネル１１の裏面側には、着色された加飾層１２が設けられており、加飾層１２は、表面パネル１１の外周部において額縁状に形成されている。入力装置１において、加飾層１２と重なる領域は非入力領域１６であり、加飾層１２によって囲まれた領域が入力操作を行う入力領域１５である。操作者は、指などの被検出体を表面パネル１１の入力面１１ａに接触させて、又は接触させずに近づけた状態で入力操作を行うことができる。なお、加飾層１２は、表面パネル１１に直接印刷形成することができる。また、加飾層１２が設けられた加飾フィルムを別に用意して、これを表面パネル１１に貼り合わせる構成であっても良い。
【００２６】
図１及び図２に示すように、第１の基材２１の入力領域１５には、複数の電極２２が配置されている。図２に示すように、複数の電極２２は、それぞれ矩形状に形成されており、Ｘ１−Ｘ２方向及びＹ１−Ｙ２方向において間隔を設けて配列される。複数の電極２２とグラウンド層（図示しない）との間には、それぞれ静電容量が形成されており、操作者が入力操作を行う際に、入力位置における電極２２と指などの被検出体との間に静電容量が形成される。入力操作の際、電極２２とグラウンド層との間の静電容量と、電極２２と指などの被検出体との間の静電容量との合計の静電容量が検出されて、この静電容量変化により入力位置情報を検出することができる。
【００２７】
図２に示すように、複数の電極２２のそれぞれに引出配線２３が接続されている。引出配線２３は、入力領域１５において複数の電極２２同士の間を引き回されており、入力領域１５から非入力領域１６に延在する。そして、複数の引出配線２３は非入力領域１６において並行に配置されて、第１の接続端子２８に接続される。つまり、非入力領域１６に設けられた第１の接続端子２８と複数の電極２２とは、引出配線２３を介して接続される。第１の接続端子２８は、図１に示す外部のフレキシブルプリント基板４５に接続されて、入力位置情報が外部回路へ伝達される。
【００２８】
本実施形態の入力装置１において、第１の基材２１は、フィルム状の樹脂材料を用いて形成される。例えば、ポリカーボネート樹脂（ＰＣ）、ポリエチレンテレフタレート樹脂（ＰＥＴ）、ポリエチレンナフタレート樹脂（ＰＥＮ）、環状ポリオレフィン（ＣＯＰ）、ポリメタクリル酸メチル樹脂（ＰＭＭＡ）等の透光性樹脂材料が用いられる。複数の電極２２は、ＩＴＯ（Ｉｎｄｉｕｍ  Ｔｉｎ  Ｏｘｉｄｅ）、ＳｎＯ２、ＺｎＯ等の透明導電材料を用いて形成されており、スパッタや蒸着等の薄膜法により形成される。また、引出配線２３は、入力領域１５において操作者から視認されないように、電極２２と同じ透明導電材料を用いて形成されている。非入力領域１６に配置された引出配線２３には、Ｃｕ、Ａｇ、Ａｕ等の金属材料を用いることができる。
【００２９】
なお、電極２２の形状や配置、または、引出配線２３の引出方法は、図２に示すものに限定されない。電極２２が菱形形状、多角形状で形成された構成や、引出配線２３が各電極２２から異なる方向へ引き出される構成であっても、本発明を適用できる。
【００３０】
図１に示すように、第２の基材３１には上部導体層３２が設けられており、入力面１１ａ側から侵入する電磁ノイズを遮蔽することができる。図１及び図３に示すように、上部導体層３２は、第２の基材３１の非入力領域１６において額縁状に設けられており、第１の基材２１の非入力領域１６に配置された引出配線２３と重なる位置に設けられている。また、上部導体層３２は、入力領域１５において、引出配線２３と重なる位置に設けられており、電極２２と重なる位置には開口部３３が設けられている。つまり、開口部３３が設けられていない部分の上部導体層３２は、格子状に設けられている。これにより、電磁ノイズが入力面１１ａ側から侵入した場合に、上部導体層３２により電磁ノイズが遮蔽されて入力装置１の誤検出の発生を防止できる。
【００３１】
また、図１に示すように、第１の基材２１の下方に配置された第３の基材４１には、下部導体層４２が設けられている。下部導体層４２は、液晶ディスプレイなどの表示装置（図示しない）からの電磁ノイズを遮蔽するために設けられており、第３の基材４１の全面に設けられる。なお、上部導体層３２及び下部導体層４２は、グラウンドに接地する、若しくは所定の電位にするために、それぞれ第２の接続端子３８、第３の接続端子４８を介してフレキシブルプリント基板４５に接続される
上部導体層３２及び下部導体層４２は、ＩＴＯ、ＳｎＯ２、ＺｎＯ等の透光性を有する透明導電材料を用いて、スパッタや蒸着などの薄膜法により形成される。また、Ａｇナノワイヤ、Ａｇナノチューブ、カーボンナノチューブ、ＰＥＤＯＴのいずれかを有するインクを用いて印刷法により形成することも可能である。また、図１に示すように、非入力領域１６の上部導体層３２及び下部導体層４２には、導電性の高い金属層３２ａ、金属層４２ａを用いてシールド効果を高めることもできる。なお、非入力領域１６には加飾層１２が設けられているため、金属層３２ａ及び金属層４２ａが操作者から視認されることがない。
【００３２】
図４は、図１に示す入力装置１を組み立てたときの部分拡大平面図であり、特に、図３に示す一点鎖線Ａで囲む領域について拡大して示す。図５は、図４のＶ−Ｖ線で切断して矢印方向から見たときの部分拡大断面図である。本実施形態において、図５に示すように、第１の基材２１、第２の基材３１、第３の基材４１及び表面パネル１１は粘着層１７、１８、１９を介して貼り合わされている。
【００３３】
図５に示すように、上部導体層３２は引出配線２３に対して入力面１１ａ側に配置されており、また、図４に示すように、平面視において引出配線２３を覆って配置される。これにより、電磁ノイズが入力面１１ａ側から侵入した場合に、上部導体層３２により電磁ノイズを遮蔽して、引出配線２３に電磁ノイズが重畳することを防止できる。よって、入力装置１の誤検出が防止される。
【００３４】
さらに、上部導体層３２を所定の電位に制御する等の方法により、引出配線２３と上部導体層３２との間に発生する静電容量を所定の値に制御することができる。引出配線２３において形成される静電容量は、入力操作の検出に寄与しない静電容量成分である。よって、引出配線２３において形成される静電容量を所定の値に制御することで、電極２２の検出感度を効果的に向上させることができ、入力面１１ａに触れずに入力操作を実行できる高感度な入力装置１が得られる。
【００３５】
図４及び図５に示すように、電極２２と重なる位置において上部導体層３２には開口部３３が設けられている。そして、開口部３３には、透光性を有する複数のダミー導体層３４ａが設けられている。図５に示すように、上部導体層３２及びダミー導体層３４ａは、第２の基材３１の同一面上に形成されている。
【００３６】
図４に示すように、開口部３３は、電極２２の平面形状と相似形状に形成されており、電極２２の面積よりもわずかに小さい面積を有して開口部３３が形成されている。従って、上部導体層３２は、平面視において、電極２２の周縁部に重なって配置されている。こうすることで、第１の基材２１と第２の基材３１とを貼り合わせる際など、位置ずれが生じた場合であっても、上部導体層３２によって確実に引出配線２３を覆うことが可能であり、外部から侵入する電磁ノイズを確実に遮蔽できる。
【００３７】
また、図４に示すように、複数のダミー導体層３４ａは、それぞれ四角形状の個片のダミー導体層３４ａであり、上部導体層３２に対して離間して配置されて、かつ、複数のダミー導体層３４ａ同士が互いに離間して配置されている。図４に示すように、Ｘ１−Ｘ２方向において隣り合う複数のダミー導体層３４ａ同士は、いずれも距離ｄ１を設けて等間隔に配列されている。同様に、Ｙ１−Ｙ２方向において隣り合う複数のダミー導体層３４ａ同士は、いずれも距離ｄ２を設けて等間隔に配列されている。距離ｄ１は、ダミー導体層３４ａのＸ１−Ｘ２方向における寸法と同程度の大きさであり、距離ｄ２は、ダミー導体層３４ａのＹ１−Ｙ２方向における寸法と同程度の大きさである。
【００３８】
このように、開口部３３に複数のダミー導体層３４ａが設けられているため、ダミー導体層３４ａを含む開口部３３全体の透光率と、上部導体層３２が設けられた領域の透光率との差を小さくすることができる。また、図４に示すように、複数のダミー導体層３４ａが等間隔に配置されているため、開口部３３の内側における透光率のばらつきが抑えられる。よって、上部導体層３２が操作者によって視認されることを防止することができる。
【００３９】
また、複数のダミー導体層３４ａが互いに離間して配置されて、個々のダミー導体層３４ａが小さい面積を有しているため、図１１に示す比較例の入力装置２１０のように大きな面積を有する一つのダミー導体層２３４を設ける場合に比べて、上部導体層３２とダミー導体層３４ａとの静電容量結合が抑制され、かつ、ダミー導体層３４ａ同士の静電容量結合も抑制される。よって、電極２２の入力面１１ａ側に配置されたダミー導体層３４ａが、シールドとして機能することを防いで、入力装置１の検出感度の低下を抑制することができる。
【００４０】
従って、本実施形態の入力装置１によれば、検出感度の低下を抑制すると共に、引出配線２３を覆って配置された上部導体層３２が操作者から視認されることを防止できる。
【００４１】
また、本実施形態において、ダミー導体層３４ａは、上部導体層３２と同じ材料を用いて形成されており、ＩＴＯ、ＳｎＯ２、ＺｎＯ等の透明導電材料が用いられる。これによれば、ダミー導体層３４ａが上部導体層３２と同じ材料で形成されているため、上部導体層３２とダミー導体層３４ａとの透光率を同等にすることができ、上部導体層３２が視認されることを防止できる。また、上部導体層３２とダミー導体層３４ａとを同一の薄膜工程で形成することができ、実際的である。例えば、ＩＴＯを用いて２０ｎｍ〜１００ｎｍ程度の薄膜を形成した場合には、透光率７５％〜９５％程度の上部導体層３２及びダミー導体層３４ａが得られる。
【００４２】
また、図４に示すように、開口部３３において、複数のダミー導体層３４ａは距離ｄ１、ｄ２を設けて配置されているため、複数のダミー導体層３４ａの合計面積よりも、複数のダミー導体層３４ａが形成されていない開口部３３の面積が大きくなっている。すなわち、ダミー導体層３４ａの面積が小さいため、上部導体層３２とダミー導体層３４ａとの静電容量結合が効果的に低減される。よって、ダミー導体層３４ａが、シールドとして機能することを防いで、入力装置１の検出感度の低下を抑制することができる。
【００４３】
なお、本実施形態の入力装置１の構成は、図１から図５に示すものに限定されない。例えば、表面パネル１１は、図１に示すような平板状に限定されず、曲面を有する立体的な表面形状を有する表面パネル１１を用いて、各基材２１、３１、４１を貼り合わせることもできる。また、電極２２と、上部導体層３２及びダミー導体層３４とは、異なる基材に設けられているが、同一の基材の上に電極２２を形成し、絶縁層を介して上部導体層３２及びダミー導体層３４を形成する構成であっても良い。
【００４４】
図６は、本実施形態の第１の変形例の入力装置を示す部分拡大平面図であり、特に、開口部３３において配置された複数のダミー導体層３４について示す。図４に示す実施形態の入力装置１では、複数のダミー導体層３４ａ同士が等間隔に配列されている。これに対し、第１の変形例の入力装置２は、図６に示すように、ダミー導体層３４同士の間隔、及び上部導体層３２とダミー導体層３４との間隔を異ならせている。
【００４５】
図６に示すように、本変形例の入力装置２では、開口部３３の中央部付近の複数のダミー導体層３４ｂ同士の距離ｄ３よりも、開口部３３の周縁部における上部導体層３２とダミー導体層３４ｃとの距離ｄ４が大きくなっている。こうすれば、図４に示す入力装置１と比較して、上部導体層３２とダミー導体層３４ｃとの静電容量結合を低減させることができる。よって、本変形例によれば、ダミー導体層３４がシールドとして機能することを防止して、入力装置２の検出感度を向上させる場合に効果的である。
【００４６】
なお、開口部３３の中央部付近のダミー導体層３４ｂ、３４ｂの距離を小さくすることで、開口部３３の中央部付近の透光率を調整して、開口部３３全体の透光率と上部導体層３２の透光率との差を小さくすることができる。これにより、上部導体層３２が操作者に視認されることを防止して視認性を向上させることが可能である。
【００４７】
図７は、本実施形態の第２の変形例の入力装置を示す部分拡大平面図であり、特に、開口部３３において配置された複数のダミー導体層３４について示す。図７に示すように、本変形例の入力装置３は、複数のダミー導体層３４が異なる面積を有して形成されている点が異なる。
【００４８】
図７に示すように、本変形例の入力装置３は、開口部３３の中央部に位置するダミー導体層３４ｄの面積よりも、開口部３３の周縁部において上部導体層３２に隣り合って位置するダミー導体層３４ｈの面積が小さく形成されている。特に、開口部３３の中央部から周縁部に向かうに従って、ダミー導体層３４ｄ、３４ｅ、３４ｆ、３４ｇ、３４ｈの順に面積が徐々に小さくなるように、各ダミー導体層３４ｄ〜３４ｈが形成されている。
【００４９】
本変形例の入力装置３によれば、ダミー導体層３４ｄ〜３４ｈの面積を異ならせて、上部導体層３２に隣り合うダミー導体層３４ｈの面積を小さくすることで、上部導体層３２とダミー導体層３４ｈとの静電容量結合を効果的に低減させることができる。よって、入力装置３の検出感度を向上させる場合に有効である。なお、開口部３３の中央部に位置するダミー導体層３４ｄ、３４ｅの面積を大きくすることにより、開口部３３全体としての透光率と上部導体層３２の透光率との差を小さくすることができる。よって、上部導体層３２が操作者に視認されることを防止して、視認性を向上させることが可能である。
【００５０】
図８は、本実施形態の第３の変形例の入力装置を示す部分拡大平面図である。ダミー導体層３４は、図４〜図７に示す個片状のものに限定されるものではなく、図８に示すように、ダミー導体層３５ａ〜３５ｄが枠状に形成されていても良い。なお、図８では、見やすくするために、ダミー導体層３５ａ〜３５ｄに斜線を付して示している。
【００５１】
本変形例の入力装置４は、図８に示すように、開口部３３の中央部に配置された四角形状のダミー導体層３５ａ、ダミー導体層３５ａを囲むダミー導体層３５ｂ、ダミー導体層３５ｂの外側を囲むダミー導体層３５ｃ、更に外側に配置されたダミー導体層３５ｄを有する。ダミー導体層３５ａ〜３５ｄは、互いに離間するとともに、上部導体層３２に離間して配置される。このように、複数のダミー導体層３５ａ〜３５ｄを設けることにより、上部導体層３２が設けられた領域の透光率と、開口部３３の全体の透光率との差を小さくして、上部導体層３２が視認されることを防止できる。
【００５２】
図８に示すように、上部導体層３２に隣り合うダミー導体層３５ｄは、ダミー導体層３５ｄの内周側に配置されたダミー導体層３５ｂ、３５ｃに比べて幅細に形成されている。また、上部導体層３２とダミー導体層３５ｄとの距離は、ダミー導体層３５ａ〜３５ｄ同士の距離よりも大きくなっている。よって、ダミー導体層３５ｄと上部導体層３２との静電容量結合を低減させることができるため、ダミー導体層３５ａ〜３５ｄがシールドとして機能することを抑制して、検出感度を向上させることができる。
【００５３】
従って、本変形例においても、入力装置４の検出感度の低下を抑制すると共に、引出配線２３を覆って配置された上部導体層３２が操作者から視認されることを防止することができる。
【００５４】
図４〜図８に示す入力装置１〜４において、ダミー導体層３４、３５は、開口部３３と相似形状である四角形状、または四角形の枠状に形成されているが、これに限定されない。図９は、本実施形態の第４の変形例の入力装置を示す部分拡大平面図である。図９に示すように、本変形例の入力装置５において、複数のダミー導体層３６は菱形形状に形成されている。この場合であっても、図４に示す入力装置１と同様に、検出感度の低下を抑制すると共に、引出配線２３を覆って配置された上部導体層３２が操作者から視認されることを防止することができる。なお、ダミー導体層３６は、三角形、多角形、円形など他の形状であっても同様の効果が得られる。
【００５５】
また、開口部３３において、複数のダミー導体層３６の形状、大きさ、配置をランダムに異ならせることもできる。こうすれば、複数のダミー導体層３６を規則的に配置する場合に比べて、ダミー導体層３６の配列規則性が失われることにより、操作者からダミー導体層３６が視認されにくくなり、下層にくる表示装置（液晶ディスプレイ等）からの画像の均一な視認性をより向上させることができる。
【符号の説明】
【００５６】
１〜５  入力装置
１１  表面パネル
１１ａ  入力面
１２  加飾層
１５  入力領域
１６  非入力領域
２１  第１の基材
２２  電極
２３  引出配線
２８  第１の接続端子
３１  第２の基材
３２  上部導体層
３２ａ  金属層
３３  開口部
３４、３４ａ〜３４ｈ、３５、３５ａ〜３５ｄ、３６  ダミー導体層
４１  第３の基材
４２  下部導体層
４２ａ  金属層
４５  フレキシブルプリント基板
【図１】
2014235570.tif 000003
【図２】
2014235570.tif 000004
【図３】
2014235570.tif 000005
【図４】
2014235570.tif 000006
【図５】
2014235570.tif 000007
【図６】
2014235570.tif 000008
【図７】
2014235570.tif 000009
【図８】
2014235570.tif 000010
【図９】
2014235570.tif 000011
【図１０】
2014235570.tif 000012
【図１１】
2014235570.tif 000013